【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
血液酸素飽和度を決定するためのシステムであって、以下：
酸素付加の２つの異なるレベルに対応する少なくとも２つの参照血液吸収スペクトル（Ａｍｉｎ（λ），Ａｍａｘ（λ））を、ある波長範囲にわたって集めるための手段；
被験体の血液に光を向けるための手段；
該血液から低減した光吸収スペクトルを感知するための手段；および
酸素飽和度の値（ＳＯ２，ＳａＯ２）を、該参照血液吸収スペクトルに対する該低減した光吸収スペクトルの関数として計算するための手段
によって特徴付けられる、システム。
【請求項２】
請求項１に記載のシステムであって、前記酸素飽和度の値を計算する前に前記参照血液吸収スペクトルおよび前記低減した光吸収スペクトルを正規化するための手段によってさらに特徴付けられる、システム。
【請求項３】
請求項２に記載のシステムであって、前記参照血液吸収スペクトルおよび前記低減した光吸収スペクトルを正規化するための前記手段が、前記波長範囲にある２つの等吸収波長（ｉｓｏｓ１，ｉｓｏｓ２）の間で、該スペクトルを線形にＤＣオフセットする手段を包含することによって特徴付けられる、システム。
【請求項４】
請求項２または３に記載のシステムであって、前記参照血液吸収スペクトルおよび前記低減した光吸収スペクトルを正規化するための前記手段が、前記ＤＣオフセットされた参照血液吸収スペクトルおよび前記ＤＣオフセットされた低減した光吸収スペクトルを、前記２つの等吸収波長の間の各それぞれのＤＣオフセットされたスペクトル下の面積の関数によってスケーリングするための手段を包含することによって特徴付けられる、システム。
【請求項５】
請求項１〜４のいずれかに記載のシステムであって、前記酸素飽和度の値を計算するための手段が、前記参照血液吸収スペクトルに対する前記低減した光吸収スペクトル間の対応の近接さを示す、費用関数の最適値を計算するための手段を包含することによって特徴付けられる、システム。
【請求項６】
請求項５に記載のシステムであって、前記最適値を計算するための手段が、少なくとも２つの前記参照血液吸収スペクトルに関する前記低減した光吸収スペクトルを補間するための手段を包含することによって特徴付けられる、システム。
【請求項７】
請求項５に記載のシステムであって、以下：
最小血液酸素付加値および最大血液酸素付加値に対応する、少なくとも１つの最小参照血液吸収スペクトル（Ａｍｉｎ（λ））および少なくとも１つの最大参照血液吸収スペクトル（Ａｍａｘ（λ））、ならびに少なくとも１つの中間参照血液吸収スペクトル（Ａｉｎｔｅｒ（Ｘ））を集めるための手段
該参照血液吸収スペクトルの少なくとも２つに対する前記低減した光吸収スペクトルの関数として、酸素飽和度の値を計算するための手段
によってさらに特徴付けられる、システム。
【請求項８】
請求項１〜７のいずれかに記載のシステムであって、以下：
前記２つの参照血液吸収スペクトルを決定するための手段であって、該２つの参照血液吸収スペクトルは、前記低減した光吸収スペクトルに最も近接しているが、それぞれ該低減した光吸収スペクトルよりも大きいスペクトル、および該低減した光吸収スペクトルよりも小さいスペクトルである、手段；ならびに
該最も近接している参照血液吸収スペクトルに関する該低減した光吸収スペクトルの一次補間によって、前記酸素飽和度の値を計算するための手段によってさらに特徴付けられる、システム。
【請求項９】
請求項１〜７のいずれかに記載のシステムであって、少なくとも３つの前記参照血液吸収スペクトルに関する前記低減した光吸収スペクトルの非一次補間により前記酸素飽和度の値を計算するための手段によって、さらに特徴付けられる、システム。
【請求項１０】
請求項１〜９のいずれかに記載のシステムであって、前記低減した光吸収スペクトルのホワイトバランスをとるための手段、そして次に、酸素飽和度の値を計算する際に該ホワイトバランスをとられた低減した光吸収スペクトルを使用するための手段
によってさらに特徴付けられる、システム。
【請求項１１】
請求項１〜９のいずれかに記載のシステムであって、
白色ＬＥＤから血液中に向けて光を発生するための手段；
白色ＬＥＤのスペクトルを予め決定するための手段；
該白色ＬＥＤスペクトルの表示を保存するための手段；および
該白色ＬＥＤのスペクトルの関数として、前記低減した光吸収スペクトルを調整するための手段
によってさらに特徴付けられる、システム。
【請求項１２】
請求項１１に記載のシステムであって、前記白色ＬＥＤスペクトルの表示を永久的に保存し、それによって光源のさらなる特徴化を必要としない、手段
によってさらに特徴付けられる、システム。
【請求項１３】
血液酸素飽和度を決定するためのシステムであって、以下：
少なくとも１つのプロセッサ（３４０）；
保存デバイス（３３０）であって、酸素付加の２つの異なるレベルに対応する、ある波長範囲にわたる少なくとも２つの参照血液吸収スペクトル（Ａｍｉｎ（λ），Ａｍａｘ（λ））を、数値的に表現するパラメータを保存する、保存デバイス；
光源（３０１）であって、少なくとも該波長範囲にわたる光のスペクトルを発生する、光源；
光伝達配置（１００，１１１；２００，２１１）であって、該発生された光を該光源から被験体の血液中に向ける、光伝達配置；
光検出配置（１１２，２１２，３０２）であって、該血液からの低減した光吸収スペクトルを感知する、光検出配置；
調整回路（３０４）であって、該検出された低減した光を、数値的に表現された、測定された低減した吸収スペクトルへと変換する、調整回路；
計算ソフトウェアモジュール（３１０）であって、該参照血液吸収スペクトルに対する該低減した光吸収スペクトルの関数として酸素飽和度の値（ＳＯ２，ＳａＯ２）を計算するための、プロセッサで実行可能なコードを含む、計算ソフトウェアモジュール
によって特徴付けられる、システム。
【請求項１４】
請求項１３に記載のシステムであって、前記計算ソフトウェアモジュール（３１０）の一部としての正規化サブモジュール（３１４）によってさらに特徴付けられ、該正規化サブモジュールは、前記酸素飽和度の値を計算する前に前記参照血液吸収スペクトルおよび前記低減した光吸収スペクトルを正規化するための、プロセッサで実行可能なコードを含む、システム。
【請求項１５】
請求項１４に記載のシステムであって、前記正規化サブモジュール（３１４）が、前記波長範囲に位置する２つの等吸収波長（ｉｓｏｓ１，ｉｓｏｓ２）の間で前記スペクトルを線形にＤＣオフセットするための、さらなるプロセッサで実行可能なコードを含むことによって特徴付けられる、システム。
【請求項１６】
請求項１５に記載のシステムであって、前記正規化サブモジュール（３１４）が、前記ＤＣオフセットされた参照血液吸収スペクトルおよび前記ＤＣオフセットされた低減した光吸収スペクトルを、前記２つの等吸収波長の間の各それぞれのＤＣオフセットされたスペクトル下の面積の関数によってスケーリングするための、さらなるプロセッサで実行可能なコードを含むことによって特徴付けられる、システム。
【請求項１７】
請求項１３〜１６のいずれかに記載のシステムであって、前記計算ソフトウェアモジュール（３１０）が、フィッティングサブモジュール（３１５）をさらに備えることによって特徴付けられ、該フィッティングサブモジュールが、前記参照血液吸収スペクトルに対する前記低減した光吸収スペクトル間の対応の近接さを示す費用関数の最適値を計算するためのプロセッサで実行可能なコードを含む、システム。
【請求項１８】
請求項１７に記載のシステムであって、前記フィッティングサブモジュールが、少なくとも２つの前記参照血液吸収スペクトルに対する前記低減した光吸収スペクトルを補間するためのプロセッサで実行可能なコードを含むことによって、さらに特徴付けられる、システム。
【請求項１９】
請求項１３〜１８のいずれかに記載のシステムであって、以下：
前記保存デバイス（３３０）が、最小血液酸素付加値および最大血液酸素付加値に対応する、少なくとも１つの最小参照血液吸収スペクトル（Ａｍｉｎ（λ））および少なくとも１つの最大参照血液吸収スペクトル（Ａｍａｘ（λ））、ならびに少なくとも１つの中間参照血液吸収スペクトル（Ａｉｎｔｅｒ（λ））を数値的に表現するパラメータを含むこと；
前記計算ソフトウェアモジュール（３１０）が、該参照血液吸収スペクトルの少なくとも２つに対する前記低減した光吸収スペクトルの関数として、酸素飽和度の値を計算するための、プロセッサで実行可能なコードを含むこと
によって特徴付けられる、システム。
【請求項２０】
請求項１３〜１９のいずれかに記載のシステムであって、前記計算ソフトウェアモジュール（３１０）が、以下：
前記２つの参照血液吸収スペクトルを決定する工程であって、該２つの参照血液吸収スペクトルは、前記低減した光吸収スペクトルに最も近接しているが、それぞれ該低減した光吸収スペクトルよりも大きいスペクトル、および該低減した光吸収スペクトルよりも小さいスペクトルである、工程；ならびに
該最も近接している参照血液吸収スペクトルに関する該低減した光吸収スペクトルの一次補間によって、前記酸素飽和度の値を計算する工程
のための、プロセッサで実行可能なコードをさらに含むことによって特徴付けられる、システム。
【請求項２１】
請求項１３〜１９のいずれかに記載のシステムであって、前記計算ソフトウェアモジュールが、少なくとも３つの前記参照血液吸収スペクトルに関する前記低減した光吸収スペクトルの非一次補間により前記酸素飽和度の値を計算するための、プロセッサで実行可能なコードをさらに含むことによって特徴付けられる、システム。
【請求項２２】
請求項１３〜２１のいずれかに記載のシステムであって、ホワイトバランスサブモジュール（３１２）によってさらに特徴付けられ、該ホワイトバランスサブモジュールが、前記計算ソフトウェアモジュール（３１０）中に備えられ、そして前記低減した光吸収スペクトルのホワイトバランスをとるため、および該ホワイトバランスをとられた低減した光吸収スペクトルを酸素飽和度の値を計算するための該計算ソフトウェアモジュールへの入力として送るための、プロセッサで実行可能なコードを含む、システム。
【請求項２３】
請求項１３〜２２のいずれかに記載のシステムであって、以下：
前記光源（３０１）であって、少なくとも１つの安定な白色ＬＥＤを備える、光源；
保存媒体（３２０）であって、該白色ＬＥＤのスペクトルを特徴付ける予め決定されたパラメータを保存し、該特徴付けられたパラメータは、該白色ＬＥＤのスペクトルの関数として、前記低減した光吸収スペクトルを調整するために有用な前記計算ソフトウェアモジュール（３１０）への入力を形成する、保存媒体
によって特徴付けられる、システム。
【請求項２４】
請求項２３に記載のシステムであって、前記保存媒体（３２０）が、非揮発性であることによって特徴付けられる、システム。
【請求項２５】
患者の身体内または身体上に白色光を向けることにより少なくとも一種の測定を行って、少なくとも１つの身体の特徴を決定する医療装置における方法であって、該方法は、以下：
白色ＬＥＤのスペクトルを特徴付けるパラメータを予め決定する工程；
非揮発性のコンピュータで読み取り可能な媒体（３２０）に該予め決定されたパラメータを保存する工程；
該媒体を該白色ＬＥＤと一緒に提供することによって、白色ＬＥＤのスペクトルを特徴付ける予め決定されたパラメータの関数として、該装置にその測定を調整するための入力データを提供し、それによってさらなる光源の特徴付けを必要としない、工程
を包含する、方法。
【請求項２６】
白色ＬＥＤのスペクトルを特徴付ける予め決定されたパラメータを含む、非揮発性のコンピュータで読み取り可能な保存媒体（３２０）であって、該保存媒体は、ユニットとしてＬＥＤと一緒に送達可能であり、それによって、白色ＬＥＤのスペクトルを特徴付ける予め決定されたパラメータの関数として、医療装置に、少なくとも一種の測定の調整のための入力データを提供し、それによってさらなる光源（３０１）の特徴付けを必要としない、保存媒体。